(57)【要約】      （修正有）【課題】人体の総合的な健康を測定者に負担をかけることなく、より正確な計測情報と、その計測結果をもとにして、測定者に適した最も効果のある匂いの付いたおしぼりを作成する装置を提供する。【解決手段】ヘッド固定電極センサー及びハンド電極センサーから人体の電流値を感知及び電極間に微弱電流を通して刺激し、その電極間の生体ポテンシャルとして変換し人体のストレスとして演算する。その人体のストレス以外の生体情報として心拍数も計測し、また、主観・認知系反応の計測技術である問診結果を総合的に健康度を判断させ、その演算結果と表示について判りやすくタッチパネル付モニター部に表示させ、計測結果をプリンター部で印刷させるものとした。さらに、計測結果をもとにして、その時、測定者に最も適した匂いの付いたおしぼりを提供する。【選択図】図１
2007185277.tif 000002
【特許請求の範囲】
【請求項１】
人体の総合的な健康度を計測する装置であって、ヘッド固定電極センサー１と、ケーブルで伸縮が自由なハンド電極センサー２と、心拍センサー３と、計測する人の健康情報を入力、装置の操作、計測中及び結果の表示等をするタッチパネル付モニター部４と、制御・演算・記憶・接続部５と、該タッチパネル付モニター３に表示された計測結果を印刷するプリンター部６と、計測結果から測定者にとって使用がお勧めと考えられる匂いの付いたおしぼりを製造する匂いおしぼり作成器７を組込み・収納して構成する匂いおしぼり機能付健康測定装置。
【請求項２】
人体の総合的な健康度を計測する装置であって、ヘッド固定電極センサー１及びハンド電極センサー２から人体の電流値を感知及び電極間に微弱電流を通して刺激する手段と、その電極間の生体ポテンシャルとして変換し人体のストレスとして演算する手段と、人体のストレス以外の生体情報として心拍センサー３から心拍数を計測する手段と、人体のストレス、心拍数の２つの生体情報と主観・認知系反応の計測技術である問診結果を総合的に健康度を判断する手段と、その演算結果と表示について判りやすくタッチパネル付モニター部４に表示（測定者に結果を踏まえて今後のアドバイス・コメントを表示）する手段と、計測結果をプリンター部６で印刷する手段と、計測結果をもとにして測定者に適した匂いの付いたおしぼりを作成し提供する手段を備えたことを特徴とする匂いおしぼり機能付の健康を計測する装置。
【請求項３】
人体の総合的な健康度を計測する装置であって、ヘッド固定電極センサー１及びハンド電極センサー２から人体の電流値を感知及び電極間に微弱電流を通して刺激する工程と、その電極間の生体ポテンシャルとして変換し人体のストレスとして演算する工程と、人体のストレス以外の生体情報として心拍センサー３から心拍数を計測する工程と、人体のストレス、心拍数の２つの生体情報と主観・認知系反応の計測技術である問診結果を総合的に健康度を判断する工程と、その演算結果と表示について判りやすくタッチパネル付モニター部４に表示（測定者に結果を踏まえて今後のアドバイス・コメントを表示）する手段と、計測結果をプリンター部６で印刷する工程と、計測結果をもとにして測定者に適した匂いの付いたおしぼりを作成し提供する工程とを備えたことを特徴とする匂いおしぼり機能付の健康を計測する方法。
【請求項４】
人体の総合的な健康度を計測するための計測プログラムを記録した記録媒体であって、ヘッド固定電極センサー１及びハンド電極センサー２から人体の電流値を感知及び電極間に微弱電流を通して刺激し、その電極間の生体ポテンシャルとして変換し人体のストレスとして演算する。次いで、人体のストレス以外の生体情報として心拍センサー３から心拍数を計測し、人体のストレス、心拍数の２つの生体情報と主観・認知系反応の計測技術である問診結果を総合的に健康度を判断し、その演算結果と表示について判りやすくタッチパネル付モニター部４に表示（測定者に結果を踏まえて今後のアドバイス・コメントを表示）する。また、計測結果をプリンター部６で印刷させることができ、計測結果をもとにして測定者に適した匂いの付いたおしぼりを作成・提供させることを特徴とする匂いおしぼり機能付の健康を計測するプログラムを記録した記録媒体。
【発明の詳細な説明】
【技術分野】
【０００１】
本発明は、人体の総合的な健康度を計測する匂いおしぼり機能付健康測定装置に関するものである。
【背景技術】
【０００２】
近年、リストラの不安、年棒制度など成果主義の導入、終身雇用制度の崩壊など、雇用環境の急激な変化は、労働者のストレスを増幅させている。労働者の約７０％が強い不安・悩み・ストレスがある状況の中で、効果的な対策を講じる必要が発生する。また、慢性疲労症候群の患者数は、全国でおよそ２２万人、予備軍と呼ばれる人は２４０万人と推測されている。このためにも生体のストレスを正確且つ迅速に計測できる、また総合的に健康が計測できる装置の商品化が市場で強く望まれている。
【０００３】
従来、人体のストレスを計測する装置として、一酸化窒素合成酵素活性を測定し、その測定値を指標とした方法（特開平０８−２６２０２５）、微小振動を手の指先など人体の末端部で測定し、この測定値からストレス度を測定する装置（特開平０９−１１７４４０）は、人体の指先等の末梢部である皮膚温度の低下量を測定し、この低下量をもってストレス度の評価値とする装置（特開平０８−２５２２２６）、電極間に微弱な電流を流して皮膚の見かけ上の抵抗変化を調べる装置（特開平２００３−１９１２２、特開平２００５−０２１４１４）なども開示されている。その他の技術として、血管変動解析を用いたもの（血圧）、脳波を血流の容積変動として捉えるもの（脳波）、瞳孔検査や瞬き計測するもの（眼球運動）などがある。尚、電極間に微弱な電流を流して皮膚の見かけ上の抵抗変化を調べる装置の原理は、１９８０年代に論文発表が数多く発表されている。
【０００４】
本発明者らは、総合的に健康を測定する装置（特願２００５−２４３８７５）、総合的に健康を測定する小型装置（特願２００５−２４７１９６）、総合的に健康を測定する装置のヘッド固定電極センサー（特願２００５−３５３０６２）を出願している。
【非特許文献１】金井寛、臨床検査ｖｏｌ．２６、ｎｏ．４、１９８２年４月
【非特許文献２】William A. Tiller, American Journal of Acupuncture, Vol.15, No1, January-March 1987
【非特許文献３】財団法人機械システム振興協会、ストレス計測技術の安全対策への適用可能性に関する調査研究報告書、２００４年３月
【発明の開示】
【発明が解決しようとする課題】
【０００５】
人体のストレスは、一般的に特徴的な症状として発生することが少なく、発生の症状の形態も多様なことが多く、極めて難しい分野である。これはストレスが発生する要因が多種多様なものであり、該要因が複雑に絡み合って複合して発生しているものと考えられる。また、１パラメータだけの計測では症状を正確に把握することは極めて困難である。
【０００６】
測定者にとって、従来の装置によってストレスを計測し、その結果を心理学的に説明されても、この説明自体が難しく理解できず、逆にストレスを受け蓄積されることがある。また、末梢部位の皮膚温度は環境状態に影響され易く、分析等を実施する方法については、比較的大きな測定システムを必要とする。
【０００７】
さらに、前記の方法・装置で測定したが、その後、具体的にどうすれば良いのか、どうアフターケアーすれば良いのかと、ユーザーから疑問の声及び要望等があった。
【０００８】
本発明は、前記従来の技術の課題に鑑みなされたものであり、その目的はストレスに限定せず、人体の総合的な健康を測定者に負担をかけることなく、より正確な計測情報と、その計測結果をもとにして、測定者に適した最も効果のある匂いの付いたおしぼりを作成する装置を提供することにある。
【課題を解決するための手段】
【０００９】
ストレスは心の病でもあり、無意識のうちに蓄積される。その他として、心拍、体重、身長等からは、総合的な健康を計測することができる。従って、簡易、正確且つ迅速に健康状態を計測できれば、総合的なメンタルヘルスケアなどを施すことも可能となり、身体的・精神的な病の予防に対して有効な対策を講じることが可能となる。
【００１０】
前記目的を達成するために本発明の装置は、ヘッド固定電極センサー及びハンド電極センサーから人体の電流値を感知及び電極間に微弱電流を通して刺激し、その電極間の生体ポテンシャルとして変換し人体のストレスとして演算する。その人体のストレス以外の生体情報として心拍数も計測し、また、主観・認知系反応の計測技術である問診結果を総合的に健康度を判断させ、その演算結果と表示について判りやすくタッチパネル付モニター部に表示（測定者に結果を踏まえて今後のアドバイス・コメントを表示）させ、計測結果をプリンター部で印刷させるものとした。さらに、計測結果をもとにして、その時、測定者に最も適した匂いの付いたおしぼりを提供することができる装置とした。尚、おしぼりを提供する際には、計測結果である健康（ストレス）の状態にとって最も効果があると考えられる匂いを５つ程度の槽から選定し、その槽におしぼりを浸漬させ、作成・提供できるようにする。
【発明の効果】
【００１１】
本発明の匂いおしぼり機能付健康測定装置は上述の手段を講じることで、以下に記載されるような効果を奏する。
【００１２】
本発明の装置により、専門家でなく素人にも簡単に人体のストレス、心拍数の計測及び問診の技術を行使することで、測定者の総合的な健康管理の指標として用いることができる。
【００１３】
計測時、測定者に最も適した匂いの付いたおしぼりを測定者に提供することができる。このことは、ユーザーに対して計測後のアフターケアー、アフターサービスの一助となる。
【００１４】
装置の操作方法、計測中、計測後の結果が判りやすいタッチパネル付モニター部によって、測定者の総合的な健康度を健康度数として分かり易く表示させ、測定者に計測結果を踏まえた上で、今後のアドバイス・コメントも表示させることができ、従来の装置に比べて、より分かりやすい装置となった。
【００１５】
電極間の電流値を感知及び電極間に微弱電流を通して刺激し、その電極間の生体ポテンシャルとして計測、心拍数の計測、主観・認知系反応の計測技術である問診結果をもとに健康度を総合的に判断できるようになる。
【発明を実施するための最良の形態】
【００１６】
本発明のストレス計測装置を図面に基づき具体的に説明する。図1は本発明の装置を示したものである。１はヘッド固定電極センサー、２はハンド電極センサー、３は心拍センサー、４はタッチパネル付モニター、５は制御・演算・記憶・接続部、６はプリンター、７は匂いおしぼり作成器である。
【００１７】
前記電極センサーを頭２箇所、手２箇所に取り付ける。前記電極センサーが頭と頭の場合は頭部、頭と手の場合は肩部、手と手の場合は胸部の領域のストレスを計測する。その他に生体情報として心拍数も計測する。また、主観・認知系反応の計測技術である問診結果を総合的に健康度を判断させ、総合的に健康度を表示する。
【００１８】
本発明の健康測定装置には、匂いおしぼり機能が付加されている。具体的には、健康（ストレス）の状態によって効果があると考えられる匂いの槽が5つ程度あり、健康度合によって、どの匂いのおしぼりを測定者に提供するかを判定し、匂いおしぼりを作成するようになっている。
【実施例】
【００１９】
まず主電源のスイッチを投入し、タイトル画面を表示させる。次いで、個人健康情報などを入力し、その後、問診画面に従って問いに答えていく。
【００２０】
ヘッド固定電極センサーを額に接触させ、スタートボタンを押す。次いで、直ちにハンド電極センサーを手のひらに接触させる。次いで、４個の前記電極センサー間のキャリブレーションを開始する。
【００２１】
前記電極間の電流値を感知し、その生体ポテンシャルから心拍を計測すると共に、前記電極間に微弱電流を与え、その該電極間の生体ポテンシャルとして変換させ、人体のストレスとして演算する。
【００２２】
次いで、人体のストレス以外の生体情報として心拍センサーから心拍数を計測し、人体のストレス、心拍数の２つの生体情報を得る。さらに、主観・認知系反応の計測技術である問診結果を総合的に健康度を判断する。
【００２３】
その演算結果と表示について判りやすくタッチパネル付モニター部に表示（測定者に結果を踏まえて今後のアドバイス・コメントを表示）する。また、計測結果をプリンター部で印刷させることができ、計測結果をもとにして測定者に適した匂いの付いたおしぼりを作成・提供させることもできる。
【００２４】
演算結果は、制御・演算・記憶・接続部を通して記録媒体に保存することもできる。また、得られた個人データは、前記制御・演算・記憶・接続部に接続することで、過去に計測された結果データを整理・処理することもでき、時系列的に前記タッチパネル付モニター３に表示することもできる。
【図面の簡単な説明】
【００２５】
【図１】本発明の装置の正面図である。
【符号の説明】
【００２６】
１  ヘッド固定電極センサー
２  ハンド電極センサー
３  タッチパネル付モニター
４  制御・演算・記憶・接続部
５  プリンター
６  匂いおしぼり作成器
【図１】
2007185277.tif 000003